(57)【特許請求の範囲】
【請求項１】
インクジェット記録ヘッドのインク吐出口を包囲するようにインクジェット記録ヘッドに当接するキャップ部材を、インクジェット記録ヘッドに対して所定位置に相対的に位置決めするためのキャップ部材位置決め構造であって、
複数の前記インクジェット記録ヘッドが配置されたキャリッジと、
前記キャップ部材を保持すると共に前記インクジェット記録ヘッドに対して接近してキャップ部材をインクジェット記録ヘッドに密着させる保持部材と、
前記キャリッジにおいて前記複数のインクジェット記録ヘッドの間の位置から突出された位置決め用壁部材と、
前記キャリッジから前記位置決め用壁部材より短い突出長で位置決め用壁部材と対向して突出され、位置決め用壁部材との間で収容凹部を構成する固定用壁部材と、
前記保持部材から突出され、保持部材と一体で前記インクジェット記録ヘッドに接近して前記収容凹部に収容され、位置決め用壁部材に接触することで保持部材に対しキャリッジを所定位置に位置決めする位置決め用ピンと、
前記位置決めピンに、前記インクジェット記録ヘッドへの接近方向に対し傾斜して形成され、位置決めピンのインクジェット記録ヘッドへの接近時に前記固定用壁部材に接触すると前記キャリッジを位置決め方向に移動させるテーパー面と、
を有することを特徴とするキャップ部材位置決め構造。
【請求項２】
画像情報に応じてインク滴を記録媒体に吐出し画像を記録するインクジェット記録ヘッドと、
前記インクジェット記録ヘッドのインク吐出口を包囲するようにインクジェット記録ヘッドに当接するキャップ部材と、
前記キャップ部材を、前記インクジェット記録ヘッドに対して所定位置に位置決めするための請求項１に記載のキャップ部材位置決め構造と、
を有することを特徴とするインクジェット記録装置。
【発明の詳細な説明】
【０００１】
【発明の属する技術分野】
本発明は、キャップ部材位置決め構造及びインクジェット記録装置に関し、さらに詳しくは、インクジェット記録ヘッドのインク吐出口を包囲するようにインクジェット記録ヘッドに当接するキャップ部材を、インクジェット記録ヘッドに対して所定位置に相対的に位置決めするためのキャップ部材位置決め構造と、このキャップ部材位置決め構造を備えることでキャップ部材をインクジェット記録ヘッドに位置決め可能なインクジェット記録装置に関する。
【０００２】
【従来の技術】
画像情報に基づいてインクジェット記録ヘッドのインク吐出口からインク滴を用紙等の記録媒体に吐出し、画像を記録するインクジェット記録装置では、インク滴を吐出していない状態（待機時や電源オフ時等）に、インク吐出口を包囲するようにキャップ部材でキャッピングし、インクジェット記録ヘッド内（特にノズル内）からのインクの乾燥や異物の混入を防止できるように構成されたものがある。このようなキャップ部材によってキャッピングする構成では、キャップ部材をインクジェット記録ヘッドに対して正確に位置決めしてキャッピングする必要がある。
【０００３】
例えば、特開平９−１０９３７９号公報には、図１０に示すように、キャリッジ３１２を矢印Ｖ方向に移動させて、キャップ支持体３１４から突設されたキャリッジ係合部３１６に係合させ、キャップ３１８を記録ヘッド３２０に対して位置決めする位置決め構造が記載されている。
【０００４】
しかし、このような構成では、キャリッジ係合部３１６をキャップ支持体３１４の側方に張り出すように形成しているため、キャップ支持体３１４が全体として大型になる。このため、インクジェット記録装置においても各部材のレイアウトに制限が生じたり、インクジェット記録装置の大型化を招いたりすることになる。
【０００５】
【発明が解決しようとする課題】
本発明は、上記事実を考慮し、小型の構成でインクジェット記録ヘッドとキャップ部材とを位置決めできるキャップ部材位置決め構造と、このキャップ部材位置決め構造を備えることでキャップ部材をインクジェット記録ヘッドに位置決め可能なインクジェット記録装置を得ることを課題とする。
【０００６】
【課題を解決するための手段】
請求項１に記載の発明では、インクジェット記録ヘッドのインク吐出口を包囲するようにインクジェット記録ヘッドに当接するキャップ部材を、インクジェット記録ヘッドに対して所定位置に相対的に位置決めするためのキャップ部材位置決め構造であって、複数の前記インクジェット記録ヘッドが配置されたキャリッジと、前記キャップ部材を保持すると共に前記インクジェット記録ヘッドに対して接近してキャップ部材をインクジェット記録ヘッドに密着させる保持部材と、前記キャリッジにおいて前記複数のインクジェット記録ヘッドの間の位置から突出された位置決め用壁部材と、前記キャリッジから前記位置決め用壁部材より短い突出長で位置決め用壁部材と対向して突出され、位置決め用壁部材との間で収容凹部を構成する固定用壁部材と、前記保持部材から突出され、保持部材と一体で前記インクジェット記録ヘッドに接近して前記収容凹部に収容され、位置決め用壁部材に接触することで保持部材に対しキャリッジを所定位置に位置決めする位置決め用ピンと、前記位置決めピンに、前記インクジェット記録ヘッドへの接近方向に対し傾斜して形成され、位置決めピンのインクジェット記録ヘッドへの接近時に前記固定用壁部材に接触すると前記キャリッジを位置決め方向に移動させるテーパー面と、を有することを特徴とする。
【０００７】
したがって、保持部材がインクジェット記録ヘッドに対して接近すると、保持部材に設けられた位置決め部材も保持部材と一体でインクジェット記録ヘッドに接近する。キャリッジには位置決め用壁部材及び固定用壁部材が突出され、これらの間に収容凹部が構成されている。位置決めピンがこの収容凹部に収容され、位置決め用壁部材に接触することで、キャリッジと保持部材とが相対的に位置決めされるので、キャリッジに配置されたインクジェット記録ヘッドと保持部材に保持されたキャップ部材とも相対的に位置決めされる。しかも、位置決めピンにはインクジェット記録ヘッドへの接近方向に対し傾斜したテーパー面が形成されており、位置決めピンのインクジェット記録ヘッドへの接近時に位置決め用壁部材に接触するとキャリッジを位置決め方向に移動させることができる。特に、テーパー面が接触する固定用壁部材は、位置決め用壁部材よりも、キャリッジからの突出長が短い。したがって、位置決めピンのインクジェット記録ヘッドへの接近動作の後半で、キャリッジを位置決め方向に移動させることができる。
【０００８】
キャリッジから突出された位置決め用壁部材は、複数のインクジェット記録ヘッドの間の位置に設けられているので、この位置決め用壁部材はキャリッジから側方に張り出さない。このため、キャップ部材置決め構造として小型化を図ることができる。
【００２０】
請求項２に記載の発明では、画像情報に応じてインク滴を記録媒体に吐出し画像を記録するインクジェット記録ヘッドと、前記インクジェット記録ヘッドのインク吐出口を包囲するようにインクジェット記録ヘッドに当接するキャップ部材と、前記キャップ部材を、前記インクジェット記録ヘッドに対して所定位置に位置決めするための請求項１に記載のキャップ部材位置決め構造と、を有することを特徴とする。
【００２１】
インクジェット記録ヘッドから画像情報に応じたインク滴を記録媒体に吐出し、記録媒体に画像を記録することができる。
【００２２】
また、キャップ部材によってインクジェット記録ヘッドのインク吐出口を包囲するようにキャッピングできるので、インクの不用意な蒸発や異物の混入を防止できる。
【００２３】
インクジェット記録ヘッドとキャップ部材とは、請求項１に記載のキャップ部材位置決め構造によって位置決めされるようになっており、キャップ部材位置決め構造として小型化を図ることが可能とされている。従って、インクジェット記録装置としても小型化を図ることができる。
【００２４】
【発明の実施の形態】
図１には、本発明の一実施形態に係るメンテナンス装置２０（インクジェット記録ヘッド回復装置）を備えたインクジェット記録装置１２が、その記録ヘッドキャリッジ１４の近傍を拡大して示されている。また、図２及び図３には、メンテナンス装置２０が、図４〜図９には本発明のインクジェット記録ヘッド位置決め構造によって位置決めされるメンテナンス装置２０のキャップホルダー４８（キャップ５０）と、記録ヘッドユニット２８の記録ヘッド部３２とがそれぞれ示されている。
【００２５】
このインクジェット記録装置１２は、記録媒体Ｐ（例えば用紙等）を一定の方向に搬送する記録媒体搬送部材１６と、この記録媒体Ｐの搬送経路に対向して、且つ記録媒体Ｐの搬送方向と垂直な方向に沿って設けられた１組のガイド部材１８とを備えている。これらのガイド部材１８によって記録ヘッドキャリッジ１４が支持されている。また、ガイド部材１８の下で且つ記録媒体Ｐの搬送経路に隣接した位置にはメンテナンス装置２０が配置されており、記録ヘッドキャリッジ１４に対して、キャッピングやインクの吸引等のメンテナンス動作を行う。このメンテナンス動作は、図示しない制御回路によって、所定の条件やタイミングで行われるように制御されている。
【００２６】
メンテナンス装置２０に対向する位置には記録ヘッドキャリッジ１４のホームポジションが設定されており、この位置を位置センサ２２で検出するようになっている。上記した記録ヘッドキャリッジ１４、記録媒体搬送部材１６、ガイド部材１８、メンテナンス装置２０及び位置センサ２２は、本体ハウジング２４に保持されている。記録ヘッドキャリッジ１４には、フレキシブル基板に形成された信号線を通じて画像情報が送られる。
【００２７】
なお、図面において、記録ヘッドキャリッジ１４の移動方向（主走査方向）を矢印Ｍで、記録媒体Ｐの移動方向（副走査方向）を矢印Ｓでそれぞれ示す。
【００２８】
記録ヘッドキャリッジ１４は、ガイド部材１８に沿って移動可能に配設されたキャリッジフレーム２６と、このキャリッジフレーム２６内の所定の収容部に収容された記録ヘッドユニット２８とで構成されている。図４〜図８に概略的に示すように、インクジェット記録ヘッドユニット２８の下部は、内部にノズル３３を有し、インク吐出面３５（記録ヘッド部３２の下面）にノズル３３内のインクを吐出するインク吐出口３７が形成された記録ヘッド部３２とされている。また、記録ヘッド部３２の上方には、図１に示すように、各記録ヘッド部３２にインクを供給するサブインクタンク３０が配置されており、サブインクタンク３０と記録ヘッド部３２とで記録ヘッドユニット２８が構成されている。サブインクタンク３０の数は、記録ヘッド部３２の数と対応するようになっており、本実施形態では４つとされている。従って、それぞれのサブインクタンク３０ごとに記録ヘッド部３２へ異なる色のインク（例えば、ブラック（Ｂｋ）、イエロー（Ｙ）、マゼンタ（Ｍ）、シアン（Ｃ））を供給してインク滴を吐出することで、フルカラーの画像を記録することが可能である。そして、図１に示すように、本実施形態のインクジェット記録装置１２は、記録媒体搬送部材１６で記録媒体Ｐを搬送し、且つ、記録ヘッドキャリッジ１４を往復動作させながら、画像情報に応じてインク滴を吐出し、記録媒体Ｐ上に画像を記録する。
【００２９】
図２及び図３に示すように、メンテナンス装置２０は、ホームポジションの下方に配置されるハウジング３４を有している。ハウジング３４内にはモータ３６が配置されている。また、ハウジング３４の側壁には、揺動アーム３８が、その一端を中心として揺動可能に軸支されている。モータ３６の回転駆動力は揺動アーム３８の一端側に作用するようになっており、モータ３６が正転したときは、揺動アーム３８は図２矢印Ｓ方向に揺動し、二点鎖線で示すように、揺動アーム３８の他端に設けられた出力ギヤ４０が、カム駆動用ギヤ列４２と噛み合う。これにより、モータ３６の回転駆動力が、カム駆動用ギヤ列４２に作用する。さらにこの回転駆動力は、図示しない複数のカム及びギヤを備えたカムシャフト４４に伝達される。カムシャフト４４のカム及びギヤは、後述するキャップホルダー４８、バルブ５８、及びワイパーブレード保持板７０をそれぞれ所定のタイミングで昇降、開閉及び往復移動させるように、カムシャフト４４の１回転について各動作が角度毎に割り付けられている。なお、カムシャフト４４の回転角度は、図示しないフォトセンサーによって検出され、この情報に基づいて、制御回路がカムシャフト４４の回転量（回転角度）を制御する。
【００３０】
これに対し、モータ３６が逆転すると、揺動アーム３８は矢印Ｓと反対の方向に揺動し、実線で示すように、出力ギヤ４０がポンプ駆動用ギヤ列４６と噛み合うため、モータ３６の回転駆動力がポンプ駆動用ギヤ列４６に作用する。
【００３１】
なお、モータの回転（正転及び逆転）は、図示しない制御回路によって制御され、メンテナンス装置２０による記録ヘッドユニット２８への回復動作と、画像記録動作（インク滴の吐出や主走査及び副走査）とが同時に行われないようになっている。
【００３２】
ハウジング３４の上部にはキャップホルダー４８が昇降可能に設けられており、カムシャフト４４の回転角度に応じて、図示しないカムから、同じく図示しないリンク機構を介して昇降させる力が作用するようになっている。このキャップホルダー４８上に、記録ヘッド部３２のそれぞれに対応する４つのキャップ５０が配置されている。これらのキャップ５０は上部が開放された略直方体状に形成されており、記録ヘッドキャリッジ１４がホームポジションに位置しているときにキャップホルダー４８が上昇すると、対応する記録ヘッド部３２ごとに、インク吐出口３７を包囲するようにしてインク吐出面３５に密着する。これにより、インク吐出口３７からの不用意なインクの乾燥や、異物の混入等を防止し、記録ヘッドユニット２８をインク滴の吐出に最適な状態に維持する。
【００３３】
図２〜図９に示すように、４つのキャップ５０のうち、特定のキャップ５０（本実施形態では、図２の左上、図３の最上、図４〜図９では右側に位置するキャップ）は、その底部にチューブ５２の一端が接続されており、インク吸引用キャップ５０Ｂとされている。また、チューブ５２は、インクに対する耐性を備えた可撓性の材料によって構成されており、全体を所望の形状に湾曲させたり、部分的に押しつぶされることで内部が閉塞され、流体の流動を遮断したりできるようになっている。
【００３４】
このチューブ５２の中間にはバルブ５８が設けられ、さらにバルブ５８の他端側には、ポンプ駆動用ギヤ列４６からの回転駆動力で駆動されるポンプ６２が配置されている。バルブ５８の開閉及びポンプ６０の駆動・駆動停止が、カムシャフト４４の回転角に応じた所定のタイミングで行われることで、インク吸引用キャップ５０Ｂ内からインクを吸引することができる。
【００３５】
図４〜図９に示すように、キャリッジフレーム２６からは、それぞれの記録ヘッドユニット２８の記録ヘッド部３２に対応する位置決め用壁部材６４が突出されている。これらの位置決め用壁部材６４は、それぞれ対応する記録ヘッド部３２に対して所定位置に形成されており、記録ヘッド部３２に対向する面と反対の面（図４ではそれぞれの左側の面）が位置決め面６４Ｓとされている。特に、ブラックの記録ヘッド部３２に対応する位置決め用壁部材６４は、隣接する記録ヘッド部３２との間に位置するように形成されている。
【００３６】
位置決め用壁部材６４の長さは、インクジェット記録装置１２の通常の画像記録状態において記録ヘッドキャリッジ１４が主走査方向に移動しても、後述する位置決め用ピン７０と接触することはないが、キャップホルダー４８が上昇すると、少なくともキャップ５０が対応するインク吐出面３５に密着する前に位置決め用ピン７０と接触するように、所定の長さとされている。
【００３７】
また、図５にも詳細に示すように、キャリッジフレーム２６からは、ブラック用の記録ヘッド部３２Ｂｋに対応する位置決め用壁部材６４に対向して、固定用壁部材６６が突出されている。固定用壁部材６６の、位置決め面６４Ｓに対向する面は固定面６６Ｈとされており、位置決め面６４Ｓと固定面６６Ｈとで構成される収容凹部６８は、所定の間隙Ｄを有している。
【００３８】
固定用壁部材６６の長さは、位置決め用壁部材６４の突出長よりも短く、且つキャップ５０がインク吐出面３５に密着した状態では収容凹部６８内に位置決め用ピン７０が位置するように、所定の長さに設定されている。
【００３９】
一方、キャップホルダー４８からは、１つの位置決め用ピン７０が突設されている。位置決め用ピン７０は、４つのキャップ５０のそれぞれが対応するインク吐出面３５と対向した状態（記録ヘッドキャリッジ１４がホームポジションにある状態）で、収容凹部６８に収容され得る位置となるように、キャップホルダー４８の所定位置から突出されている。また、位置決め用ピン７０のキャップホルダー４８からの突出長は、キャップ５０がインク吐出面３５に密着した状態でもキャリッジフレーム２６に接触することがない長さとされており、キャップ５０のインク吐出面３５への密着性を低下させることがないようになっている。また、位置決め用ピン７０の幅Ｗは、収容凹部６８の間隙Ｄより僅かに狭い所定幅とされている。
【００４０】
位置決め用ピン７０の、収容凹部６８に収容された状態で位置決め面６４Ｓと対向する面は、位置決め面７０Ｓとされている。位置決め面６４Ｓと位置決め面７０Ｓとは、これらが接触した状態で、記録ヘッドキャリッジ１４とキャップホルダー４８とが相対的に所定の位置で位置決めされるように形成されている。
【００４１】
位置決め用ピン７０の先端近傍には、先端に向かって次第に先細りとなるようにテーパー面７０Ｔが形成されており、収容凹部６８に収容されやすくなっている。
【００４２】
図２に示すように、ハウジング３４の上部には、シャフト６８が、記録ヘッドキャリッジ１４の移動方向と直交する方向に沿って掛け渡されており、このシャフト６８に沿って移動可能に、ワイパーブレード保持板７０が配置されている。ワイパーブレード保持板７０には、記録ヘッド部３２のそれぞれのインク吐出面３５（図４参照）に対応する４つのワイパーブレード７２が取り付けられている。
【００４３】
次に、本実施形態のインクジェット記録装置１２及びメンテナンス装置２０の作用を説明する。
【００４４】
画像情報に応じて記録ヘッドユニット２８からインク滴を吐出しながら、記録ヘッドキャリッジ１４が主走査方向に、記録媒体Ｐが副走査方向にそれぞれ移動することで、記録媒体Ｐ上に画像が記録される。
【００４５】
記録ヘッドユニット２８が、メンテナンスを必要とする所定の状態になると、図示しない制御回路は、記録ヘッドキャリッジ１４をホームポジションへと移動させる。このとき、図４に示すように、キャップ５０のそれぞれが対応する記録ヘッド部３２のインク吐出面３５に対向するように記録ヘッドキャリッジ１４とキャップホルダー４８とは大体の位置合わせがされているため、位置決め用ピン７０と収容凹部６８とが対向している（図５参照）。そして、図示しない制御回路は、モータ３６を正転させる。揺動アーム３８が図２矢印Ｓ方向に揺動するので、モータ３６の回転駆動力は、カム駆動用ギヤ列４２を介して、カムシャフト４４を回転させる。これにより、まず、ワイパー保持板７０が矢印Ａ方向及びその反対方向へと往復移動する。記録ヘッド部３２のインク吐出面３５がワイパーブレードによってワイピングされ、インク吐出面３５に付着した異物が除去される。
【００４６】
ワイピング動作の後、モータ３６の正転によってさらにカムシャフト４４が回転すると、キャップホルダー４８が上昇し、キャップ５０がそれぞれ対応するインク吐出面３５に接近する。また、位置決め用ピン７０も上昇して収容凹部６８に接近する。このとき、記録ヘッドキャリッジ１４とキャップホルダー４８とは大体の位置合わせがされているので、位置決め用ピン７０と位置決め用壁部材６４とが不用意に接触してしまうことはない。また、位置決め用ピン７０のテーパー面７０Ｔと固定用壁部材６６とが接触したときには、テーパー面７０Ｔによって記録ヘッドキャリッジ１４が主走査方向に僅かに移動されるので、キャップホルダー４８はさらに上昇可能となり、上昇動作が妨げられることはない。そして、図６及び図７に示すように、位置決め用ピン７０の位置決め面７０Ｓと位置決め用壁部材６４の位置決め面６４Ｓとが接触し、記録ヘッドキャリッジ１４とキャップホルダー４８とが正確に位置決めされる。なお、記録ヘッドキャリッジ１４とキャップホルダー４８との位置によっては、位置決め面６４Ｓと位置決め面７０Ｓとが接触しない場合もあるが、この場合には、例えば、記録ヘッドキャリッジ１４を僅かに主走査方向（矢印Ｍ方向）へ移動させる等によって接触させることができる。
【００４７】
さらにキャップホルダー４８が上昇すると、図８に示すように、位置決め用ピン７０の先端が収容凹部６８内に完全に収容され、キャップ５０の先端（上端）が、インク吐出面３５に接触する。
【００４８】
さらにキャップホルダー４８が上昇すると、図９に示すように、キャップ５０が対応するインク吐出面３５に密着する。この状態では、位置決め用ピン７０の両側にそれぞれ位置決め用壁部材６４又は固定用壁部材６６が位置しており、記録ヘッドキャリッジ１４とキャップホルダー４８とは、これらの相対位置が変化しないように固定されていることになる。従って、この状態で例えば記録ヘッドキャリッジ１４に主走査方向（矢印Ｍ方向）の力が作用しても、位置決め用壁部材６４又は固定用壁部材６６が位置決め用ピン７０に当たって、記録ヘッドキャリッジ１４のキャップホルダー４８に対する相対移動が阻止され、インク吐出口３７の周囲がキャップ５０によってキャッピングされた状態が維持される。
【００４９】
このようにして、キャップ５０が記録ヘッド部３２のインク吐出面３５に密着することで、記録ヘッド部３２のノズル３３（インク吐出口３７）の周囲が封止されるため、記録ヘッドユニット２８からの不用意なインクの乾燥や異物の混入が防止される。
【００５０】
さらにモータ３６の正転によってカムシャフト４４が回転するとバルブ５８が閉状態となる。これにより、チューブ５２は中間部分において遮断され、内部を流体が流動しなくなる。
【００５１】
このようにチューブ５２が遮断された状態で、図示しない制御回路は、モータ３６を逆転させる。図２に示すように揺動アーム３８が矢印Ｓと反対方向に揺動し、モータ３６の回転駆動力がポンプ駆動用ギヤ列４６を介してポンプ６２に伝達されるため、ポンプ６２が駆動される。そして、ポンプ６２の駆動が所定時間に達すると、制御回路は、再度モータ３６を正転させる。これにより、揺動アーム３８が図２矢印Ｓ方向に揺動するため、ポンプ６２の駆動が停止される。次いで、カムシャフト４４が回転し、バルブ５８が開状態となる。これにより、負圧が瞬間的にインク吸引用キャップ５０Ｂ内に作用するため、記録ヘッドユニット２８内（特にノズル３３内）から、インクを吸引することができる。吸引されたインクは、排インクとして、チューブ５４の他端側に設けられた排出インクタンク（図示省略）に排出される。
【００５２】
最後に、モータ３６がさらに正転するとキャップホルダー４８が下降するため、キャップ５０が記録ヘッド部３２から離間する。もちろん、記録ヘッドユニット２８からのインクの乾燥や異物の混入を定常的に防止するために、キャップホルダー４８を下降させないようにし、キャップ５０をインク吐出面３５に密着させた状態に維持してもよい。
【００５３】
本実施形態では、複数のキャップ５０のうち、特定のインク吸引用キャップ５０Ｂに対応した記録ヘッドユニット２８のみからインクを吸引できるようにしている。従って、記録ヘッドキャリッジ１４をキャップ５０の配列方向（主走査方向）に所定量だけ移動させて、インクを吸引すべき記録ヘッドユニット２８をインク吸引用キャップ５０Ｂの上方に位置させるようにすることで、全ての記録ヘッドユニット２８からインクを吸引できる。この場合であっても、それぞれの記録ヘッド部３２に対応して、位置決め用壁部材６４が設けられているので、対応する記録ヘッド部３２（記録ヘッドユニット２８）とインク吸引用キャップ５０Ｂとを正確に位置決めできる。なお、一般的に、記録ヘッドユニット２８からインクを吸引する動作は短時間で終了することが多く、この短時間のうちに、記録ヘッドキャリッジ１４に主走査方向（矢印Ｍ方向）の力が作用する可能性は低いので、本実施形態では、ブラック以外の記録ヘッドユニット２８の記録ヘッド部３２に対しては、固定用壁部材６６を設けていないが、もちろん全ての記録ヘッドユニット２８に対応して、固定用壁部材６６を設けてもよい。また、キャップ５０の全てをインク吸引用キャップ５０Ｂとし、記録ヘッドキャリッジ１４を移動させることなく全ての記録ヘッドユニット２８からインクを吸引できるようにしてもよい。
【００５４】
以上説明したように、本実施形態のインクジェット記録装置１２では、記録ヘッドキャリッジ１４とキャップホルダー４８とを位置決めする位置決め用壁部材６４を利用して、記録ヘッドキャリッジ１４とキャップホルダー４８との固定も行えるようにしている。従来では、位置決め用の部材に加えて固定用の部材を設ける必要があったが、本実施形態では位置決め用壁部材６４が固定用の部材のを兼ねていることとなり、部品点数を少なくすることができる。また、低コストで、インクジェット記録装置１２を構成できる。
【００５５】
しかも、キャリッジフレーム２６に設けた位置決め用壁部材６４の少なくとも１つを、複数の記録ヘッド部３２の間の位置に設けている。位置決め用壁部材６４がキャリッジフレーム２６の側方から張り出さないので、記録ヘッドキャリッジ１４として小型化することができ、インクジェット記録装置１２としても小型化することが可能となる。
【００５６】
同様に、固定用壁部材６６も、複数の記録ヘッド部３２の間の位置に設けている。固定用壁部材６６がキャリッジフレーム２６の側方から張り出さないので、記録ヘッドキャリッジ１４として小型化することができ、インクジェット記録装置１２としても小型化することが可能となる。
【００５７】
なお、本発明の位置決め部材及び固定部材としては、必ずしも位置決め用壁部材６４及び固定用壁部材６６として構成されている必要はない。位置決め部材としては、要するに、キャップホルダー４８の上昇（記録ヘッドキャリッジ１４への接近）に伴って、位置決め用ピン７０に接触して記録ヘッドキャリッジ１４とキャップホルダー４８とを位置決めする接触部であればよい。同様に、固定部材としても、キャップ５０が対応するインク吐出面３５に密着した状態で、位置決め部材との間と対向して位置決め用ピン７０を収容するようになっていればよい。例えば、キャリッジフレーム２６に凹部を設け、この凹部において主走査方向に対向する内面がそれぞれ、位置決め部材又は部材として作用するように構成してもよい。また、これとは逆に、キャップホルダー４８に凹部を設けると共に、この凹部に収容される位置決め用ピンをキャリッジフレーム２６に形成してもよい。
【００５８】
【発明の効果】
請求項１に記載の発明では、キャップ部材位置決め構造として小型化を図ることができる。
【００６４】
請求項２に記載の発明では、インクジェット記録装置として小型化を図ることができる。
【図面の簡単な説明】
【図１】  本発明の一実施形態に係るインク吸引装置を備えたインクジェット記録ヘッド回復装置を有するインクジェット記録装置の記録ヘッドキャリッジ及びその近傍を示す斜視図である。
【図２】  本発明の一実施形態に係るインクジェット記録ヘッド回復装置を示す一部破断斜視図である。
【図３】  本発明の一実施形態に係るインクジェット記録ヘッド回復装置の概略構成を示す平面図である。
破断側面図である。
【図４】  本発明の一実施形態に係るキャップ部材位置決め構造によって位置決めされる記録ヘッドキャリッジとキャップホルダーの主要部を示す一部破断正面図である。
【図５】  本発明の一実施形態に係るキャップ部材位置決め構造によって位置決めされる記録ヘッドキャリッジとキャップホルダーを部分的に拡大して示す一部破断正面図である。
【図６】  本発明の一実施形態に係るキャップ部材位置決め構造によって位置決めされる記録ヘッドキャリッジとキャップホルダーの主要部を示す一部破断正面図である。
【図７】  本発明の一実施形態に係るキャップ部材位置決め構造によって位置決めされる記録ヘッドキャリッジとキャップホルダーを部分的に拡大して示す一部破断正面図である。
【図８】  本発明の一実施形態に係るキャップ部材位置決め構造によって位置決めされる記録ヘッドキャリッジとキャップホルダーを部分的に拡大して示す一部破断正面図である。
【図９】  本発明の一実施形態に係るキャップ部材位置決め構造によって位置決めされる記録ヘッドキャリッジとキャップホルダーを部分的に拡大して示す一部破断正面図である。
【図１０】  位置決め構造を示す説明図である。
【符号の説明】
１０    インク吸引装置
１２    インクジェット記録装置
１４    記録ヘッドキャリッジ
４８    キャップホルダー（保持部材）
５０    キャップ
６４    位置決め用壁部材（第１凸部材、位置決め部材）
６６    固定用壁部材（第２凸部材、対向部材、固定部材）
７０    位置決め用ピン（第１凸部材、位置決め部材）
【図１】
0004296712.tif 000002
【図２】
0004296712.tif 000003
【図３】
0004296712.tif 000004
【図４】
0004296712.tif 000005
【図５】
0004296712.tif 000006
【図６】
0004296712.tif 000007
【図７】
0004296712.tif 000008
【図８】
0004296712.tif 000009
【図９】
0004296712.tif 000010
【図１０】
0004296712.tif 000011